(57)【要約】【課題】薄型表示装置において、輸送時に受ける機械的衝撃などによる破損を防ぐことを目的とする。【解決手段】表示ユニットと、この表示ユニットを収納する外装ケースとを備え、かつ梱包箱に収容したときに梱包箱の上部および下部のコーナー部に分離して配置された上部コーナー部の緩衝材および下部コーナー部の緩衝材により前記外装ケースの上部および下部のコーナー部領域が保持される薄型表示装置であって、表示ユニット７のフレーム５の長辺側周縁部において、前記コーナー部の緩衝材２２により保持される部分に補強用の第１のビード部５ａを設けるとともに、前記第１のビード部５ａの間にこの第１のビード部５ａと分離した状態で補強用の第２のビード部５ｂを設けた。【選択図】図６
2015108643.tif 000002
【特許請求の範囲】
【請求項１】
平面型の表示パネルおよびその表示パネルに画像を表示するための駆動回路ブロックを有する表示ユニットと、この表示ユニットを収納する外装ケースとを備え、かつ梱包箱に収容したときに梱包箱の上部および下部のコーナー部にそれぞれ分離して配置された上部および下部のコーナー部の緩衝材により前記外装ケースの上部および下部のコーナー部領域が保持される薄型表示装置であって、前記表示ユニットは、表示パネルを保持する長方形状の金属製のフレームを有し、前記フレームの長辺側周縁部において、前記コーナー部の緩衝材により保持される部分に補強用の第１のビード部を設けるとともに、前記第１のビード部の間にこの第１のビード部と分離した状態で補強用の第２のビード部を設けたことを特徴とする薄型表示装置。
【発明の詳細な説明】
【技術分野】
【０００１】
本発明は、テレビジョン受像機やモニター装置に使用される液晶表示装置等の薄型表示装置に関するものである。
【背景技術】
【０００２】
液晶表示装置は、平面型の薄型表示装置として、一般家庭は勿論のこと、業務用として、需要が拡大している。
【０００３】
一般的に液晶表示装置は、平面型の液晶表示パネルの背面側に、面光源としてのバックライト装置を配置して表示モジュールを構成し、この表示モジュールを、フロントキャビネットとバックキャビネットからなる薄型の筐体の内部に収容することにより構成されている (特許文献１参照)。
【先行技術文献】
【特許文献】
【０００４】
【特許文献１】特開２００９−１３９４２６号公報
【発明の概要】
【発明が解決しようとする課題】
【０００５】
ところで、このような液晶表示装置においては、ＬＥＤを用いたバックライト装置の普及に伴い、より一層の薄型化が図られている。また、外観デザインの観点から、画像表示領域に比べ、フロントキャビネットの周縁部を狭くした狭額縁のデザイン形状の製品が増えてきている。
【０００６】
このように液晶表示装置などの薄型表示装置においては、従来に比べ、より一層薄型化が図られるとともに、狭額縁デザインの採用により、表示装置としての機械的な強度が弱くなる傾向にあり、輸送時に受ける機械的衝撃による破損が課題となってきている。
【０００７】
本発明はこのような現状に鑑みなされたもので、薄型表示装置において、輸送時に受ける機械的衝撃などによる破損を防ぐことを目的とするものである。
【課題を解決するための手段】
【０００８】
この課題を解決するために本発明は、平面型の表示パネルおよびその表示パネルに画像を表示するための駆動回路ブロックを有する表示ユニットと、この表示ユニットを収納する外装ケースとを備え、かつ梱包箱に収容したときに梱包箱の上部および下部のコーナー部にそれぞれ分離して配置された上部および下部のコーナー部の緩衝材により前記外装ケースの上部および下部のコーナー部領域が保持される薄型表示装置であって、前記表示ユニットは、表示パネルを保持する長方形状の金属製のフレームを有し、前記フレームの長辺側周縁部において、前記コーナー部の緩衝材により保持される部分に補強用の第１のビード部を設けるとともに、前記第１のビード部の間にこの第１のビード部と分離した状態で補強用の第２のビード部を設けたことを特徴とする。
【発明の効果】
【０００９】
このような本発明によれば、薄型表示装置において、輸送時に受ける機械的衝撃による表示パネルなどの破損を防ぐことができる。
【図面の簡単な説明】
【００１０】
【図１】本発明の一実施の形態において、液晶表示装置の外観を示す正面図
【図２】同液晶表示装置の分解斜視図
【図３】同液晶表示装置の全体構成の回路ブロックを示す図
【図４】表示装置本体を梱包箱に収容している状態を示す斜視図
【図５】表示装置本体と緩衝材との位置関係を示す平面図
【図６】液晶表示装置のバックキャビネットを取り除いて表示ユニットを示す平面図
【図７】表示装置本体と緩衝材の位置関係を示す平面図
【発明を実施するための形態】
【００１１】
以下、本発明の一実施の形態による薄型表示装置について、液晶表示装置に使用する表示モジュールを例にとって図面を参照しながら説明する。
【００１２】
図１は本発明の一実施の形態において、完成品である液晶表示装置の外観を示す図、図２は表示装置本体の分解斜視図、図３は同液晶表示装置の全体構成の回路ブロックを示す図である。
【００１３】
まず、図１、図２に示すように、液晶表示装置は表示装置本体１と、この表示装置本体１を立てた状態で保持するスタンド２とを有している。表示装置本体１は、平面型の表示パネルである液晶表示パネル３と、バックライト装置を構成する導光板４と、これらの液晶表示パネル３および導光板４を保持する長方形状の金属製のフレーム５と、液晶表示パネル３に画像を表示するための駆動回路ブロック６とを有する表示ユニット７を備え、その表示ユニット７を表示装置本体１を構成する他の部品とともに樹脂成型品などからなる外装ケース８内に収容することにより構成されている。
【００１４】
また、外装ケース８は、液晶表示パネル３の画像表示領域に対応するように開口部９ａを設けたフロントキャビネット９と、このフロントキャビネット９と組み合わせられて表示ユニット７の背面側を覆うバックキャビネット１０とから構成されている。前記外装ケース８のバックキャビネット１０は、表示ユニット７の背面側を覆うように、周縁部を前記表示ユニット７のフレーム５にビスによりねじ止めすることにより取り付けられている。
【００１５】
なお、図２において、７ａはフレーム５とともに液晶表示パネル３および導光板４を保持する金属製の前フレームである。
【００１６】
また、図３に示すように、液晶表示装置全体の概略構成は、液晶表示パネル３に画像を表示する駆動回路を備えるとともに、バックライト装置１１の点灯を制御する点灯制御回路を備えた信号処理回路ブロック１２と、前記液晶表示パネル３、バックライト装置１１および信号処理回路ブロック１２に電源電圧を供給するための電源ブロック１３と、テレビジョン放送を受信して前記信号処理回路ブロック１２に受信信号を供給するチューナ１４とを備え、前記信号処理回路ブロック１２、電源ブロック１３は、それぞれ回路基板に回路を構成する部品を搭載することにより構成されている。そして、前記信号処理回路ブロック１２、電源ブロック１３、チューナ１４などを搭載した駆動回路ブロック６は、表示ユニット７の背面とバックキャビネット１０との間の空間に配置されるようにフレーム５に取り付けられている。
【００１７】
図４、図５は上記液晶表示装置の梱包方法を説明するための図であり、図４は表示装置本体を梱包箱に収容している状態を示す斜視図、図５は表示装置本体と緩衝材との位置関係を示す平面図である。
【００１８】
図４、図５に示すように、表示装置本体１は、包装袋（図示せず）で覆った後、リモコンなどの付属品２０とともに、ダンボールからなる梱包箱２１に収容することにより梱包される。このとき、梱包箱２１の上部および下部のコーナー部には、上部コーナー部の緩衝材２２および下部コーナー部の緩衝材２３がそれぞれ分離して配置されている。また、上部中央部および下部中央部にも、前記緩衝材２２、２３とは分離した状態で緩衝材２４が配置されている。この緩衝材２２、２３、２４は、発泡スチロールを所定の形状に成形することにより得られる。
【００１９】
前記梱包箱２１の上部および下部のコーナー部に配置した緩衝材２２、２３により、図４、図５に示すように、表示装置本体１の前記外装ケース８の上部および下部のコーナー部領域８ａ、８ｂ、８ｃ、８ｄが保持される。
【００２０】
図６は、液晶表示装置のバックキャビネットを取り除いて表示ユニットを示す平面図、図７は表示装置本体と緩衝材との位置関係を示す平面図である。
【００２１】
図６、図７に示すように、前記表示ユニット７の駆動回路ブロック６の回路基板が取り付けられる長方形状のフレーム５において、長辺側の上部周縁部には、前記コーナー部の緩衝材２２により保持される部分に補強用の第１のビード部５ａが設けられるとともに、前記第１のビード部５ａの間にこの第１のビード部５ａと分離した状態で補強用の第２のビード部５ｂが設けられている。また、前記第２のビード部５ｂが設けられた部分が中央部の緩衝材２４により保持されている。前記第１のビード部５ａと第２のビード部５ｂは、フレーム５の一部が盛り上がるようにフレーム５に絞り加工を施すことにより形成されている。
【００２２】
なお、図６、図７に示す例においては、長辺側の上部周縁部のみに第１のビード部５ａと第２のビード部５ｂを形成した例を示したが、勿論長辺側の下部周縁部にも同様な第１のビード部５ａと第２のビード部５ｂを形成してもよい。
【００２３】
ところで、薄型表示装置において、外装ケース８が狭額縁化されるに伴い、外装ケース８の周縁部の幅が狭くなって強度が低下し、またバックキャビネット１０を表示ユニット７にねじ止めするための穴加工を行うことによりさらに強度が低下してしまう。
【００２４】
本発明においては、表示ユニット７のフレーム５の長辺側周縁部において、前記コーナー部の緩衝材２２により保持される部分に補強用の第１のビード部５ａを設けるとともに、前記第１のビード部５ａの間にこの第１のビード部５ａと分離した状態で補強用の第２のビード部５ｂを設けたことにより、外装ケース８が狭額縁化された場合であっても、表示装置本体１を変形させようとする応力に対して強度を向上させることができ、この結果、輸送途中で表示装置本体１が破損してしまうのを防止することができる。
【００２５】
このように本発明においては、薄型表示装置において、より一層の薄型化が図られるとともに、狭額縁デザインの採用により、機械的な強度が低下しても、輸送時に受ける機械的衝撃などによる破損を防ぐことができるという効果が得られる。
【産業上の利用可能性】
【００２６】
以上のように本発明は、輸送時における薄型表示装置の破損を防ぐ上で有用な発明である。
【符号の説明】
【００２７】
１  表示装置本体
３  液晶表示パネル
４  導光板
５  フレーム
５ａ  第１のビード部
５ｂ  第２のビード部
６  駆動回路ブロック
７  表示ユニット
８  外装ケース
９  フロントキャビネット
１０  バックキャビネット
２１  梱包箱
２２、２３、２４  緩衝材
【図１】
2015108643.tif 000003
【図２】
2015108643.tif 000004
【図３】
2015108643.tif 000005
【図４】
2015108643.tif 000006
【図５】
2015108643.tif 000007
【図６】
2015108643.tif 000008
【図７】
2015108643.tif 000009